(57)【要約】【課題】連結された状態において、上下方向に強い力が加わった場合はいうまでもなく、左右方向に強い力が加わった場合にも外れてしまうことのない相互に連結可能な容器を提供する。【解決手段】複数の側面を有した容器本体Ａの一側面に円形リング状または円柱状の凸部２を突設し、この凸部２に空間Ｓを隔てて前記一側面の上部に、前記凸部２の上方を包囲するようにした円弧状の凸部３を突設し、この凸部３の円弧端から外方に向かって前記一側面と平行状態となる円弧状の外向フランジ４を設けると共に、前記容器本体Ａの他側面に、前記凸部２、３および外向フランジ４が入り込む段差部５を設け、この段差部５に、前記凸部２に遊嵌する円形リング状または円柱状の凸部６を突設し、前記段差部５の上壁に前記外向フランジ４に係脱自在となる内向フランジ７を設けている。【選択図】図１
2020029262.tif 000002
【特許請求の範囲】
【請求項１】
複数の側面を有した容器本体（Ａ）の一側面に円形リング状または円柱状の凸部（２）を突設し、この凸部（２）に空間（Ｓ）を隔てて前記一側面の上部に、前記凸部（２）の上方を包囲するようにした円弧状の凸部（３）を突設し、この凸部（３）の円弧端から外方に向かって前記一側面と平行状態となる円弧状の外向フランジ（４）を設けると共に、前記容器本体（Ａ）の他側面に、前記凸部（２、３）および外向フランジ（４）が入り込む段差部（５）を設け、この段差部（５）に、前記凸部（２）に遊嵌する円形リング状または円柱状の凸部（６）を突設し、前記段差部（５）の上壁に前記外向フランジ（４）に係脱自在となる内向フランジ（７）を設けていることを特徴とする相互に連結可能な容器。
【請求項２】
前記容器本体（Ａ）は、平行に対向する側面を有したものとしていることを特徴とする請求項１記載の相互に連結可能な容器。
【請求項３】
前記外向フランジ（４）に小窪部（４ａ）を設けると共に、前記内向フランジ（７）が位置する段差部（５）に小突起（５ｂ）を設けたものとし、前記容器本体（Ａ）が相互に連結した状態において、前記小窪部（４ａ）と小突起（５ｂ）が対向して、互いに係合するようにしていることを特徴とする請求項１または２記載の相互に連結可能な容器。
【請求項４】
複数の側面を有した一方の容器本体（Ａ）の一側面に円形リング状または円柱状の凸部（２）を突設し、この凸部（２）に空間（Ｓ）を隔てて前記一側面の上部に、前記凸部（２）の上方を包囲するようにした円弧状の凸部（３）を突設し、この凸部（３）の円弧端から外方に向かって前記一側面と平行状態となる円弧状の外向フランジ（４）を設けると共に、複数の側面を有したもう一方の容器本体（Ｂ）の一側面に、前記凸部（２、３）および外向フランジ（４）が入り込む段差部（５）を設け、この段差部（５）に、前記凸部（２）に遊嵌する円形リング状または円柱状の凸部（６）を突設し、前記段差部（５）の上壁に前記外向フランジ（４）に係脱自在となる内向フランジ（７）を設けていることを特徴とする相互に連結可能な容器。
【請求項５】
前記外向フランジ（４）に小窪部（４ａ）を設けると共に、前記内向フランジ（７）が位置する段差部（５）に小突起（５ｂ）を設けたものとし、前記容器本体（Ａ）と容器本体（Ｂ）が相互に連結した状態において、前記小窪部（４ａ）と小突起（５ｂ）が対向して、互いに係合するようにしていることを特徴とする請求項４記載の相互に連結可能な容器。
【請求項６】
前記外向フランジ（４）および内向フランジ（７）は、それぞれ中心角が１７０〜１８０度未満の円弧状としていることを特徴とする請求項１〜５のいずれかに記載の相互に連結可能な容器。
【発明の詳細な説明】
【技術分野】
【０００１】
この発明は、ネジ、アンカー、プラグ等の各種パーツ、釣針、釣用錘、植物の種子、衣服のボタン等、その他各種の小物を収納しておくのに適した容器に関し、特にこれらの小物を小分けしたり、種類ごとに収納できるようにした相互に連結可能な容器に関するものである。
【背景技術】
【０００２】
従来、この種の相互に連結可能な容器としては、１組の対向面の一方の面に第１の連結片を１組備えており、他方の面に第２の連結片を１組備えたものが存在する。このような容器は、同形状の他の容器を連結する際には、第１の連結片が連結すべき他の容器の第２の連結片と係合可能にしている。すなわち、第１の連結片の係合部と第２の連結片の係合部は互いに楔のように食い込んで係合できるように、第１の連結片の係合部は下方ほど厚みが大きく、第２の連結片の係合部は上方ほど厚みが大きく形成されたものとしている（特許文献１）。
【０００３】
このように構成された容器は、上下に嵌め合わせた際に当接する連結片の先端の係合部どうしが互いに楔のように食い込み、両者の接触部の摩擦が増大し、連結後に上下方向に力が少々加わっても外れにくくなるとしている。
【０００４】
さらに、この種の相互に連結可能な容器としては、ほぼ同一大きさとした数箇の容器体を、胴部相互を連結させて左右方向へ並設させたものとし、この容器体の胴部の連結を、一方胴部の外面に縦設したアリと、他方胴部に縦設したアリ溝との嵌合で行ったものが存在する（特許文献２）。
【０００５】
このように構成された容器は、各個別の容器を、それぞれアリとアリ溝との着脱によって、連結したり、又分離することが可能になるとしている。
【先行技術文献】
【特許文献】
【０００６】
【特許文献１】実用新案登録第３０２６９５０号公報
【特許文献２】特開２００３−３２１０２６号公報
【発明の概要】
【発明が解決しようとする課題】
【０００７】
しかしながら、上記従来の特許文献１に記載された相互に連結可能な容器では、連結後に上下方向に力が少々加わっても外れにくくなるとしているが、連結片の先端の係合部どうしの接触部の摩擦力のみによって外れにくくしているため、この摩擦力以上の強い力が上下方向に加われば外れてしまうという課題を有していた。
【０００８】
さらに、上記従来の特許文献２に記載された相互に連結可能な容器では、一方胴部の外面に縦設したアリと、他方胴部に縦設したアリ溝との嵌合によって連結したものとしているので、左右方向に強い力が加わった場合には外れにくいが、上下方向に強い力が加わった場合には外れ易いという課題を有していた。
【０００９】
そこで、この発明は、上記従来の課題を解決することを目的としており、連結された状態において、上下方向に強い力が加わった場合はいうまでもなく、左右方向に強い力が加わった場合にも外れてしまうことのない相互に連結可能な容器を提供することを目的としてなされたものである。
【課題を解決するための手段】
【００１０】
この発明の相互に連結可能な容器は、複数の側面を有した容器本体Ａの一側面に円形リング状または円柱状の凸部２を突設し、この凸部２に空間Ｓを隔てて前記一側面の上部に、前記凸部２の上方を包囲するようにした円弧状の凸部３を突設し、この凸部３の円弧端から外方に向かって前記一側面と平行状態となる円弧状の外向フランジ４を設けると共に、前記容器本体Ａの他側面に、前記凸部２、３および外向フランジ４が入り込む段差部５を設け、この段差部５に、前記凸部２に遊嵌する円形リング状または円柱状の凸部６を突設し、前記段差部５の上壁に前記外向フランジ４に係脱自在となる内向フランジ７を設けている。
【００１１】
この発明の相互に連結可能な容器において、前記容器本体Ａは、平行に対向する側面を有したものとしている。
【００１２】
この発明の相互に連結可能な容器において、前記外向フランジ４に小窪部４ａを設けると共に、前記内向フランジ７が位置する段差部５に小突起５ｂを設けたものとし、前記容器本体Ａが相互に連結した状態において、前記小窪部４ａと小突起５ｂが対向して、互いに係合するようにしている。
【００１３】
さらに、この発明の相互に連結可能な容器は、複数の側面を有した一方の容器本体Ａの一側面に円形リング状または円柱状の凸部２を突設し、この凸部２に空間Ｓを隔てて前記一側面の上部に、前記凸部２の上方を包囲するようにした円弧状の凸部３を突設し、この凸部３の円弧端から外方に向かって前記一側面と平行状態となる円弧状の外向フランジ４を設けると共に、複数の側面を有したもう一方の容器本体Ｂの一側面に、前記凸部２、３および外向フランジ４が入り込む段差部５を設け、この段差部５に、前記凸部２に遊嵌する円形リング状または円柱状の凸部６を突設し、前記段差部５の上壁に前記外向フランジ４に係脱自在となる内向フランジ７を設けている。
【００１４】
この発明の相互に連結可能な容器において、前記外向フランジ４に小窪部４ａを設けると共に、前記内向フランジ７が位置する段差部５に小突起５ｂを設けたものとし、前記容器本体Ａと容器本体Ｂが相互に連結した状態において、前記小窪部４ａと小突起５ｂが対向して、互いに係合するようにしている。
【００１５】
この発明の相互に連結可能な容器において、前記外向フランジ４および内向フランジ７は、それぞれ中心角が１７０〜１８０度未満の円弧状としている。
【発明の効果】
【００１６】
この発明の相互に連結可能な容器は、以上に述べたように構成されているので、連結された状態において、上下方向に強い力が加わった場合はいうまでもなく、左右方向に強い力が加わった場合にも外れてしまうことのないものとなる。
【００１７】
そのため、この発明の相互に連結可能な容器では、各種の小物を小分けしたり、種類ごとに収納して、そのまま保管しておく場合には安定した状態で保管しておけるのはいうまでもなく、各種の小物を収納して運搬したり携帯する場合においても安定した状態で運搬したり携帯することができる。
【図面の簡単な説明】
【００１８】
【図１】この発明の一実施形態の容器を示しており、（ａ）はその容器を右側面斜め上方から見た斜視図であり、（ｂ）はその容器を右側面斜め下方から見た斜視図である。
【図２】この発明の一実施形態の図１の容器を示しており、（ａ）はその容器を左側面斜め上方から見た斜視図であり、（ｂ）はその容器を左側面斜め下方から見た斜視図である。
【図３】図１に示すこの発明の容器の開蓋状態を右側面斜め上方から見た斜視図である。
【図４】この発明の容器を相互に連結するために、この発明の容器の一つの右側面に、逆さにしたこの発明の容器のもう一つの左側面を近付けた状態の斜視図である。
【図５】この発明の容器の二つを相互に連結した状態の正面図である。
【図６】図５中のＡーＡ線による断面図である。
【図７】この発明の容器の二つを相互に連結した状態の平面図である。
【図８】図７中のＢーＢ線による断面図である。
【図９】この発明の他の実施形態の一方の容器を示しており、（ａ）はその容器を右側面斜め上方から見た斜視図であり、（ｂ）はその容器を右側面斜め下方から見た斜視図である。
【図１０】この発明の他の実施形態のもう一方の容器を示しており、（ａ）はその容器を右側面斜め上方から見た斜視図であり、（ｂ）はその容器を右側面斜め下方から見た斜視図である。
【図１１】図９に示すこの発明の一方の容器の開蓋状態を右側面斜め上方から見た斜視図である。
【図１２】図１０に示すこの発明のもう一方の容器の開蓋状態を左側面斜め上方から見た斜視図である。
【図１３】この発明の容器を相互に連結するために、この発明の一方の容器の右側面に、逆さにしたこの発明のもう一方の容器の左側面を近付けた状態の斜視図である。
【図１４】この発明の一方の容器ともう一方の容器を相互に連結した状態の正面図である。
【図１５】図１４中のＣーＣ線による断面図である。
【図１６】この発明の一方の容器ともう一方の容器を相互に連結した状態の平面図である。
【図１７】図１６中のＤーＤ線による断面図である。
【発明を実施するための形態】
【００１９】
以下、この発明の相互に連結可能な容器を実施するための形態を、図面に基づいて詳細に説明する。
【００２０】
この発明の相互に連結可能な容器は、図１、２に示したように、容器本体Ａと、この容器本体Ａの開口部を開閉自在とする蓋体Ｃを備えている。
【００２１】
容器本体Ａは、平面形状とした複数の側面を有したものとしている。図示したものでは、有底の四角筒形状としており、右側面１ａ、左側面１ｂ、前側面１ｃおよび後側面１ｄの四側面を有したものとしている。この発明において、容器本体Ａは、例えば円筒形状、三角筒形状、五角筒形状、六角筒形状とするなど、複数の側面を有したものであれば、その形状は特に限定されない。さらに、この発明において、容器本体Ａは、図示した四角筒形状などのように、平行に対向する側面を有したものとするのが、後に述べるように好ましいが、限定されるものではない。
【００２２】
図１に示したように、前記容器本体Ａの右側面１ａとした一側面の略中央には、円形リング状または円柱状の凸部２を突設し、この凸部２に空間Ｓを隔てて前記一側面の上部に、前記凸部２の上方を包囲するようにした円弧状の凸部３を突設している。さらに、この凸部３の円弧端から外方に向かって前記一側面と平行状態となる円弧状の外向フランジ４を設けている。なお、前記外向フランジ４は、中心角が３０〜１８０度未満の円弧状とすることができる。そして、後に述べるように容器本体Ａが相互に堅固に連結した状態にするには、前記外向フランジ４は、中心角が１７０〜１８０度未満の円弧状（略半円弧状）とするのが好ましい。
【００２３】
図２に示したように、前記容器本体Ａの左側面１ｂとした他側面には、前記凸部２、３および外向フランジ４が入り込む段差部５を設けている。そして、この段差部５の略中央に前記凸部２に遊嵌する円形リング状または円柱状の凸部６を突設すると共に、前記段差部５の上壁に前記外向フランジ４に係脱自在となる内向フランジ７を設けている。前記凸部６を円形リング状とした場合は、前記凸部２が円形リング状であれば、この凸部２の外側に遊嵌するものとしても、内側に遊嵌するものとしてもよいが、前記凸部２が円柱状であれば、この凸部２の外側に遊嵌するものとしている。さらに、前記凸部６を円柱状とした場合は、前記凸部２を円形リング状として、この凸部２の内側に遊嵌するものとしている。また、前記段差部５は、図示したものでは、平面形状を長方形の上辺に半円を足したような形状として、上壁を前記外向フランジ４に沿うようにした半円曲面５ａとしたものとしているが、前記凸部２、３および外向フランジ４が入り込む形状であれば、その形状は特に限定されない。前記内向フランジ７は、前記段差部５の半円曲面５ａの円弧端から内方に向かって前記他側面と面一状態となる円弧状の突片としている。前記内向フランジ７も、中心角が３０〜１８０度未満の円弧状とすることができるが、後に述べるように容器本体Ａが相互に堅固に連結した状態にするには、前記内向フランジ７においても、中心角が１７０〜１８０度未満の円弧状（略半円弧状）とするのが好ましい。なお、前記凸部２と凸部６との遊嵌は、後に述べる容器本体Ａの連結操作時に、容器本体Ａが回転可能な程度であればよく、両者間の遊びが小さいほど回転時や連結後にがたついたりしないので、容器本体Ａが回転可能な程度の最小の遊びで嵌合されていればよい。
【００２４】
前記容器本体Ａにおいて、一側面と他側面は、図示したような平行に対向する右側面１ａと左側面１ｂとするのが、容器本体Ａを一直線状に相互連結することができるので好ましいが、隣り合う側面としても、一つ置きに隣り合う側面とするなどしてもよく、特に限定されるものではない。
【００２５】
さらに、図１に示したように、前記容器本体Ａの一側面の外向フランジ４には、小窪部４ａを設けると共に、図２に示したように、前記容器本体Ａの他側面の内向フランジ７が位置する段差部５には、小突起５ｂを設けたものとし、後に述べるように容器本体Ａが相互に連結した状態において、前記小窪部４ａと小突起５ｂが対向して、互いに係合するようにしている。前記内向フランジ７は、段差部５に小突起５ｂを設け易いように、図示したように、前記小突起５ｂが位置する部分を切り欠いた断続的なものにすることができる。また、前記小窪部４ａは浅い深さの円錐状窪みとし、前記小突起５ｂは、前記小窪部４ａに対応する円錐状突起とするなどして、両者が係合し易くしている。なお、前記小突起５ｂは、容器本体Ａの他側面の内向フランジ７が位置する段差部５に設けたものとしなくても、段差部５であれば何れの個所でもよい。この場合には、前記小窪部４ａも、容器本体Ａの一側面の外向フランジ４に設けたものとすることなく、後に述べるように容器本体Ａが相互に連結した状態において、前記小突起５ｂと対向するように、容器本体Ａの一側面に設けたものとすればよい。
【００２６】
また、図１に示したように、前記容器本体Ａの一側面の両端部には、上下方向に小突条８ａを設けると共に、図２に示したように、前記容器本体Ａの他側面の両端部には、上下方向に小突条８ｂを設けたものとし、容器本体Ａを相互に連結するときや、連結した状態において、前記小突条８ａと小突条８ｂが対向して、互いに接触するようにしている。このようにすれば、後に述べるように容器本体Ａを相互に向かい合わせて回転するときに、容器本体Ａの一側面と他側面とが面接触せず接触面積が大きくならず、小突条８ａ、８ｂどうしが接触して接触面積が小さくなり、容器本体Ａの回転がスムーズに行えるようになる。
【００２７】
蓋体Ｃは、図１〜３に示したように、前記容器本体Ａの四角筒形状に対応した四角板形状とし、この容器本体Ａの後側面１ｄの上端にヒンジ部１０を介するなどして、回動自在として取り付けたものとし、前端に垂設した係合体１１を前記容器本体Ａの前側面１ｃに設けた係合部１２に係脱自在としており、前記容器本体Ａの開口部を開閉するものとしている。なお、この発明において、前記蓋体Ｃは特に必要なものではなく、容器本体Ａの上方は常に開放されているものであってもよい。
【００２８】
このように構成されたこの発明の容器を相互に連結するには、以下のようにして行う。
【００２９】
先ず、図４に示したように、一つの容器本体Ａの一側面に、逆さにしたもう一つの容器本体Ａの他側面を向かい合わせ、前記一側面の凸部２、３および外向フランジ４を、前記他側面の段差部５に入り込ませると共に、前記一側面の凸部２を前記他側面の凸部６に遊嵌する。なお、この場合、一つの容器本体Ａの他側面に、逆さにしたもう一つの容器本体Ａの一側面を向かい合わせるようにして、このような同様の操作を行なってもよい。
【００３０】
次に、前記逆さにしたもう一つの容器本体Ａを時計回り、または反時計回りに１８０度回転させると、図５〜８に示した状態となり、外向フランジ４が内向フランジ７の内側に入り込んで両者が係合されると共に、前記小窪部４ａと小突起５ｂが係合して、位置決めされた状態で両容器本体Ａが連結される。
【００３１】
そして、前記相互に連結した容器に、さらにこの発明の容器を三段、四段と次々に連結して行くには、図５〜８に示す相互に連結した容器本体Ａの一側面に、逆さにした別の容器本体Ａの他側面を向かい合わせ、前記したのと同様の操作を次々に行って行けばよい。
【００３２】
また、この発明の容器を相互に連結した状態から外すには、図５〜８に示す相互に連結した容器本体Ａの一方を時計回り、または反時計回りに１８０度回転させると、前記小窪部９ａと小突起９ｂの係合が解除されると共に、内向フランジ７の内側に入り込んでいた外向フランジ４が、この内向フランジ７の内側から抜け出て、両者の係合が解除される。そこで、一つの容器本体Ａからもう一つの容器本体Ａを引き離せば、前記他側面の段差部５から、前記一側面の凸部２、３および外向フランジ４が抜け出し、相互に連結した容器が分離される。
【００３３】
さらに、この発明の相互に連結可能な容器は、図９、１０に示したように、一方の容器本体Ａと、もう一方の容器本体Ｂと、これら容器本体Ａ、Ｂのそれぞれの開口部を開閉自在とする蓋体Ｃを備えている。
【００３４】
容器本体Ａ、Ｂは、それぞれ平面形状とした複数の側面を有したものとしている。図示したものでは、有底の四角筒形状としており、それぞれ右側面１ａ、左側面１ｂ、前側面１ｃおよび後側面１ｄの四側面を有したものとしている。この発明において、容器本体Ａ、Ｂは、例えば円筒形状、三角筒形状、五角筒形状、六角筒形状とするなど、複数の側面を有したものであれば、その形状は特に限定されない。
【００３５】
図９に示したように、前記容器本体Ａの右側面１ａとした一側面の略中央には、円形リング状または円柱状の凸部２を突設し、この凸部２に空間Ｓを隔てて前記一側面の上部に、前記凸部２の上方を包囲するようにした円弧状の凸部３を突設している。さらに、この凸部３の円弧端から外方に向かって前記一側面と平行状態となる円弧状の外向フランジ４を設けている。なお、前記外向フランジ４は、中心角が３０〜１８０度未満の円弧状とすることができる。そして、後に述べるように容器本体Ａと容器本体Ｂが相互に堅固に連結した状態にするには、前記外向フランジ４は、中心角が１７０〜１８０度未満の円弧状（略半円弧状）とするのが好ましい。
【００３６】
図１０に示したように、前記容器本体Ｂの左側面１ｂとした一側面には、前記凸部２、３および外向フランジ４が入り込む段差部５を設けている。そして、この段差部５の略中央に前記凸部２に遊嵌する円形リング状または円柱状の凸部６を突設すると共に、前記段差部５の上壁に前記外向フランジ４に係脱自在となる内向フランジ７を設けている。前記凸部６を円形リング状とした場合は、前記凸部２が円形リング状であれば、この凸部２の外側に遊嵌するものとしても、内側に遊嵌するものとしてもよいが、前記凸部２が円柱状であれば、この凸部２の外側に遊嵌するものとしている。さらに、前記凸部６を円柱状とした場合は、前記凸部２を円形リング状として、この凸部２の内側に遊嵌するものとしている。また、前記段差部５は、図示したものでは、平面形状を長方形の上辺に半円を足したような形状として、上壁を前記外向フランジ４に沿うようにした半円曲面５ａとしたものとしているが、前記凸部２、３および外向フランジ４が入り込む形状であれば、その形状は特に限定されない。前記内向フランジ７は、前記段差部５の半円曲面５ａの円弧端から内方に向かって前記一側面と面一状態となる円弧状の突片としている。前記内向フランジ７も、中心角が３０〜１８０度未満の円弧状とすることができるが、後に述べるように容器本体Ａと容器本体Ｂが相互に堅固に連結した状態にするには、前記内向フランジ７においても、中心角が１７０〜１８０度未満の円弧状（略半円弧状）とするのが好ましい。なお、前記凸部２と凸部６との遊嵌は、図１、２に示したものと同様に、容器本体Ａまたは容器本体Ｂが回転可能な程度の最小の遊びで嵌合されていればよい。
【００３７】
さらに、図９に示したように、前記容器本体Ａの一側面の外向フランジ４には、小窪部４ａを設けると共に、図１０に示したように、前記容器本体Ｂの一側面の内向フランジ７が位置する段差部５には、小突起５ｂを設けたものとし、後に述べるように容器本体Ａと容器本体Ｂが相互に連結した状態において、前記小窪部４ａと小突起５ｂが対向して、互いに係合するようにしている。前記内向フランジ７は、段差部５に小突起５ｂを設け易いように、図示したように、前記小突起５ｂが位置する部分を切り欠いた断続的なものにすることができる。また、前記小窪部４ａは浅い深さの円錐状窪みとし、前記小突起５ｂは、前記小窪部４ａに対応する円錐状突起とするなどして、両者が係合し易くしている。なお、前記小突起５ｂは、容器本体Ｂの一側面の内向フランジ７が位置する段差部５に設けたものとしなくても、段差部５であれば何れの個所でもよい。この場合には、前記小窪部４ａも、容器本体Ａの一側面の外向フランジ４に設けたものとすることなく、後に述べるように容器本体Ａと容器本体Ｂが相互に連結した状態において、前記小突起５ｂと対向するように、容器本体Ａの一側面に設けたものとすればよい。
【００３８】
また、図９に示したように、前記容器本体Ａの一側面の両端部には、上下方向に小突条８ａを設けると共に、図１０に示したように、前記容器本体Ｂの一側面の両端部には、上下方向に小突条８ｂを設けたものとし、容器本体Ａと容器本体Ｂを相互に連結するときや、連結した状態において、前記小突条８ａと小突条８ｂが対向して、互いに接触するようにしている。このようにすれば、後に述べるように容器本体Ａと容器本体Ｂを相互に向かい合わせて回転するときに、容器本体Ａの一側面と容器本体Ｂの一側面とが面接触せず接触面積が大きくならず、小突条８ａ、８ｂどうしが接触して接触面積が小さくなり、容器本体Ａまたは容器本体Ｂの回転がスムーズに行えるようになる。
【００３９】
蓋体Ｃは、図9 〜１２に示したように、前記容器本体Ａと容器本体Ｂの四角筒形状にそれぞれ対応した四角板形状とし、これら容器本体Ａと容器本体Ｂの後側面１ｄの上端にそれぞれヒンジ部１０を介するなどして、回動自在として取り付けたものとし、前端に垂設した係合体１１を前記容器本体Ａと容器本体Ｂのそれぞれの前側面１ｃに設けた係合部１２に係脱自在としており、前記容器本体Ａと容器本体Ｂの開口部をそれぞれ開閉するものとしている。なお、この発明において、前記蓋体Ｃは特に必要なものではなく、容器本体Ａと容器本体Ｂの上方は常に開放されているものであってもよい。
【００４０】
このように構成されたこの発明の容器を相互に連結するには、以下のようにして行う。
【００４１】
先ず、図１３に示したように、一方の容器本体Ａの一側面に、逆さにしたもう一方の容器本体Ｂの一側面を向かい合わせ、前記容器本体Ａの一側面の凸部２、３および外向フランジ４を、前記容器本体Ｂの一側面の段差部５に入り込ませると共に、前記容器本体Ａの一側面の凸部２を前記容器本体Ｂの一側面の凸部６に遊嵌する。なお、この場合、もう一方の容器本体Ｂの一側面に、逆さにした一方の容器本体Ａの一側面を向かい合わせるようにして、このような同様の操作を行なってもよい。
【００４２】
次に、前記逆さにしたもう一方の容器本体Ｂを時計回り、または反時計回りに１８０度回転させると、図１４〜１７に示した状態となり、外向フランジ４が内向フランジ７の内側に入り込んで両者が係合されると共に、前記小窪部４ａと小突起５ｂが係合して、位置決めされた状態で容器本体Ａと容器本体Ｂが連結される。
【００４３】
また、この発明の容器を相互に連結した状態から外すには、図１４〜１７に示す相互に連結した容器本体Ａまたは容器本体Ｂを時計回り、または反時計回りに１８０度回転させると、前記小窪部９ａと小突起９ｂの係合が解除されると共に、内向フランジ７の内側に入り込んでいた外向フランジ４が、この内向フランジ７の内側から抜け出て、両者の係合が解除される。そこで、容器本体Ａから容器本体Ｂを引き離せば、前記容器本体Ｂの一側面の段差部５から、前記容器本体Ａの一側面の凸部２、３および外向フランジ４が抜け出し、相互に連結した容器が分離される。
【００４４】
したがって、上記したようなこの発明の容器が相互に連結した状態では、何れの実施形態においても、外向フランジ４と内向フランジ７との係合によって、両容器の左右（水平）方向の連結が維持されると共に、この外向フランジ４と内向フランジ７との係合と、前記凸部２と前記凸部６との遊嵌によって、両容器の上下方向の連結が維持されることになるので、両容器の連結状態は左右方向にも、上下方向にも堅固なものとなる。なお、前記内向フランジ７と外向フランジ４とを略半円弧状にした場合には、両者の係合面積が広くなるので、両容器の連結状態はより堅固なものとなる。
【００４５】
この発明の相互に連結可能な容器は、以上に述べたように構成されているので、連結された状態において、上下方向に強い力が加わった場合はいうまでもなく、左右方向にも強い力が加わった場合にも外れてしまうことのないものとなる。
【００４６】
そのため、この発明の相互に連結可能な容器では、各種の小物を小分けしたり、種類ごとに収納して、そのまま保管しておく場合はいうまでもなく、各種の小物を収納して運搬したり携帯する場合においても、各種の小物を安定した状態で運搬したり携帯することができる。
【符号の説明】
【００４７】
２  凸部
３  凸部
４  外向フランジ
４ａ  小窪部
５  段差部
５ｂ  小突起
６  凸部
７  内向フランジ
Ａ  容器本体
Ｂ  容器本体
Ｓ  空間
【図１】
2020029262.tif 000003
【図２】
2020029262.tif 000004
【図３】
2020029262.tif 000005
【図４】
2020029262.tif 000006
【図５】
2020029262.tif 000007
【図６】
2020029262.tif 000008
【図７】
2020029262.tif 000009
【図８】
2020029262.tif 000010
【図９】
2020029262.tif 000011
【図１０】
2020029262.tif 000012
【図１１】
2020029262.tif 000013
【図１２】
2020029262.tif 000014
【図１３】
2020029262.tif 000015
【図１４】
2020029262.tif 000016
【図１５】
2020029262.tif 000017
【図１６】
2020029262.tif 000018
【図１７】
2020029262.tif 000019